【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
連続的に撮像を行って、複数の画像を取得する撮像装置であって、
取得した画像毎に、その画像データから、予め設定された条件を満たす被写体を検出する検出手段と、
前記検出手段により検出された被写体に関係なく、前記画像データから第１露出値を演算する第１露出値決定手段と、
前記検出手段により検出された被写体を含む部分範囲の画像データに基づいて第２露出値を演算する第２露出値決定手段と、
前記検出手段により被写体が検出された場合には前記第２露出値を選択し、検出されなかった場合には、前回被写体が検出されてから予め設定された時間が経過していれば前記第１露出値を選択し、経過していなければ露出値を変更しないことを選択する選択手段とを有し、
前記選択手段の選択結果に基づく露出値を用いて撮像を行うことを特徴とする撮像装置。
【請求項２】
連続的に撮像を行って、複数の画像を取得する撮像装置であって、
取得した画像毎に、その画像データから、予め設定された条件を満たす被写体を検出する検出手段と、
前記検出手段により検出された被写体に関係なく、前記画像データから第１露出値を演算する第１露出値決定手段と、
前記検出手段により検出された被写体を含む部分範囲の画像データに基づいて第２露出値を演算する第２露出値決定手段と、
前記検出手段により被写体が検出された場合には前記第２露出値を選択し、検出されなかった場合には、前回被写体が検出されてから予め設定された時間が経過していれば前記第１露出値を選択し、経過していなければ前記第２露出値を選択する選択手段とを有し、
前記第２露出値決定手段は、前記検出手段により前記被写体が検出されなくなった後、前記予め設定された時間が経過するまでは、前記検出手段により最後に検出された被写体を含む前記部分範囲の画像データに基づいて前記第２露出値を演算し、
前記選択手段の選択結果に基づく露出値を用いて撮像を行うことを特徴とする撮像装置。
【請求項３】
前記検出手段により被写体が検出された場合に、検出されてから予め設定された時間、前記検出された被写体を示す表示を、前記取得した画像上に重畳表示する表示制御手段を更に有し、
前記選択手段は、前記検出手段により被写体が検出されなかった場合に、前記被写体を示す表示がされていれば、前回被写体が検出されてから前記予め設定された時間が経過していないと判断し、表示がされていなければ、前回被写体が検出されてから前記予め設定された時間が経過していると判断することを特徴とする請求項１または２に記載の撮像装置。
【請求項４】
前記検出手段により第１の被写体が検出され、且つ、前記検出手段により検出されなくなってから前記予め設定された時間が経過していない、前記検出された第１の被写体とは異なる第２の被写体がある場合に、前記第２露出値決定手段は、更に、前記第１の被写体を含む部分範囲の画像データと、前記第２の被写体を含む部分範囲の画像データとに基づいて第３露出値を演算し、前記選択手段は前記第３露出値を選択することを特徴とする請求項１乃至３のいずれか１項に記載の撮像装置。
【請求項５】
前記第２露出値決定手段は、前記第３露出値を演算する際には、前記第２の被写体よりも前記第１の被写体を含む部分領域の画像データの重み付けを大きくすることを特徴とする請求項４に記載の撮像装置。
【請求項６】
前記検出手段により複数の被写体が検出された場合に、その中から、主被写体を検出する主被写体検出手段を更に有し、
前記第１露出決定手段、前記第２露出決定手段、前記選択手段は、前記検出された主被写体に基づいて処理を行うことを特徴とする請求項１乃至５のいずれか１項に記載の撮像装置。
【請求項７】
連続的に撮像を行って、複数の画像を取得する撮像装置であって、
取得した画像毎に、その画像データから、予め設定された条件を満たす被写体を検出する検出手段と、
前記取得した各画像と、当該画像の直前に取得した画像間でシーンが変化したかどうかを判断する判断手段と、
前記検出手段により検出された被写体に関係なく、前記画像データから第１露出値を演算する第１露出値決定手段と、
前記検出手段により検出された被写体を含む部分範囲の画像データに基づいて第２露出値を演算する第２露出値決定手段と、
前記検出手段により被写体が検出された場合には前記第２露出値を選択し、検出されなかった場合には、前記判断手段によりシーンが変化したと判断され、且つ、前回被写体が検出されてからまたは前記判断手段によりシーンが変化していないと前回判断されてから予め設定された時間が経過していれば前記第１露出値を選択し、それ以外の場合に露出値を変更しないことを選択する選択手段とを有し、
前記選択手段の選択結果に基づく露出値を用いて撮像を行うことを特徴とする撮像装置。
【請求項８】
連続的に撮像を行って、複数の画像を取得する撮像装置であって、
取得した画像毎に、その画像データから、予め設定された条件を満たす被写体を検出する検出手段と、
前記取得した各画像と、当該画像の直前に取得した画像間でシーンが変化したかどうかを判断する判断手段と、
前記検出手段により検出された被写体に関係なく、前記画像データから第１露出値を演算する第１露出値決定手段と、
前記検出手段により検出された被写体を含む部分範囲の画像データに基づいて第２露出値を演算する第２露出値決定手段と、
前記検出手段により被写体が検出された場合に前記第２露出値を選択し、検出されなかった場合には、前記判断手段によりシーンが変化したと判断され、且つ、前回被写体が検出されてからまたは前記判断手段によりシーンが変化していないと前回判断されてから予め設定された時間が経過していれば前記第１露出値を選択し、それ以外の場合に前記第２露出値を選択する選択手段とを有し、
前記第２露出値決定手段は、前記判断手段によりシーンが変化していないと判断され、且つ、前記検出手段により前記被写体が検出されなくなった後、前記予め設定された時間が経過するまでは、前記部分範囲の画像データに基づいて第２露出値を演算し、
前記選択手段の選択結果に基づく露出値を用いて撮像を行うことを特徴とする撮像装置。
【請求項９】
前記検出手段により被写体が検出された場合に、検出されてから予め設定された時間、または、検出後、前記判断手段によりシーンが変化していないと判断されてから予め設定された時間、前記検出された被写体を示す表示を、前記取得した画像上に重畳表示する表示制御手段を更に有し、
前記選択手段は、前記検出手段により被写体が検出されなかった場合に、前記被写体を示す表示がされていれば、前回被写体が検出されてからまたは前記判断手段によりシーンが変化していないと前回判断されてから、前記予め設定された時間が経過していないと判断し、表示がされていなければ前記予め設定された時間が経過していると判断することを特徴とする請求項７または８に記載の撮像装置。
【請求項１０】
前記第２露出値決定手段は、更に、前記部分範囲以外の画像データに基づいて第２露出値を演算し、前記部分範囲の画像データに対して、該部分範囲以外の画像データよりも高い重み付けを行うことを特徴とする請求項１乃至９のいずれか１項に記載の撮像装置。
【請求項１１】
連続的に撮像を行って、複数の画像を取得する撮像装置の制御方法であって、
取得した画像毎に、その画像データから、予め設定された条件を満たす被写体を検出する検出ステップと、
前記検出ステップにおいて検出された被写体に関係なく、前記画像データから第１露出値を演算する第１露出値決定ステップと、
前記検出ステップにおいて検出された被写体を含む部分範囲の画像データに基づいて第２露出値を演算する第２露出値決定ステップと、
前記検出ステップにおいて被写体が検出された場合には前記第２露出値を選択し、検出されなかった場合には、前回被写体が検出されてから予め設定された時間が経過していれば前記第１露出値を選択し、経過していなければ露出値を変更しないことを選択する選択ステップとを有し、
前記選択ステップでの選択結果に基づく露出値を用いて撮像を行うことを特徴とする制御方法。
【請求項１２】
連続的に撮像を行って、複数の画像を取得する撮像装置の制御方法であって、
取得した画像毎に、その画像データから、予め設定された条件を満たす被写体を検出する検出ステップと、
前記検出ステップにおいて検出された被写体に関係なく、前記画像データから第１露出値を演算する第１露出値決定ステップと、
前記検出ステップにおいて検出された被写体を含む部分範囲の画像データに基づいて第２露出値を演算する第２露出値決定ステップと、
前記検出ステップにおいて被写体が検出された場合には前記第２露出値を選択し、検出されなかった場合には、前回被写体が検出されてから予め設定された時間が経過していれば前記第１露出値を選択し、経過していなければ前記第２露出値を選択する選択ステップとを有し、
前記第２露出値決定ステップでは、前記検出ステップにより前記被写体が検出されなくなった後、前記予め設定された時間が経過するまでは、前記検出ステップにより最後に検出された被写体を含む前記部分範囲の画像データに基づいて前記第２露出値を演算し、
前記選択ステップでの選択結果に基づく露出値を用いて撮像を行うことを特徴とする制御方法。
【請求項１３】
前記検出ステップにおいて被写体が検出された場合に、検出されてから予め設定された時間、前記検出された被写体を示す表示を、前記取得した画像上に重畳表示する表示制御ステップを更に有し、
前記選択ステップでは、前記検出ステップにおいて被写体が検出されなかった場合に、前記被写体を示す表示がされていれば、前回被写体が検出されてから前記予め設定された時間が経過していないと判断し、表示がされていなければ、前回被写体が検出されてから前記予め設定された時間が経過していると判断することを特徴とする請求項１１または１２に記載の制御方法。
【請求項１４】
前記検出ステップにおいて第１の被写体が検出され、且つ、前記検出ステップにおいて検出されなくなってから前記予め設定された時間が経過していない、前記検出された第１の被写体とは異なる第２の被写体がある場合に、前記第２露出値決定ステップでは、更に、前記第１の被写体を含む部分範囲の画像データと、前記第２の被写体を含む部分範囲の画像データとに基づいて第３露出値を演算し、前記選択ステップでは前記第３露出値を選択することを特徴とする請求項１１乃至１３のいずれか１項に記載の制御方法。
【請求項１５】
前記第２露出値決定ステップでは、前記第３露出値を演算する際には、前記第２の被写体よりも前記第１の被写体を含む部分領域の画像データの重み付けを大きくすることを特徴とする請求項１４に記載の制御方法。
【請求項１６】
前記検出ステップにおいて複数の被写体が検出された場合に、その中から、主被写体を検出する主被写体検出ステップを更に有し、
前記第１露出決定ステップ、前記第２露出決定ステップ、前記選択ステップでは、前記検出された主被写体に基づいて処理を行うことを特徴とする請求項１１乃至１５のいずれか１項に記載の制御方法。
【請求項１７】
連続的に撮像を行って、複数の画像を取得する撮像装置の制御方法であって、
取得した画像毎に、その画像データから、予め設定された条件を満たす被写体を検出する検出ステップと、
前記取得した各画像と、当該画像の直前に取得した画像間でシーンが変化したかどうかを判断する判断ステップと、
前記検出ステップにおいて検出された被写体に関係なく、前記画像データから第１露出値を演算する第１露出値決定ステップと、
前記検出ステップにおいて検出された被写体を含む部分範囲の画像データに基づいて第２露出値を演算する第２露出値決定ステップと、
前記検出ステップにおいて被写体が検出された場合には前記第２露出値を選択し、検出されなかった場合には、前記判断ステップによりシーンが変化したと判断され、且つ、前回被写体が検出されてからまたは前記判断ステップによりシーンが変化していないと前回判断されてから予め設定された時間が経過していれば前記第１露出値を選択し、それ以外の場合に露出値を変更しないことを選択する選択ステップとを有し、
前記選択ステップでの選択結果に基づく露出値を用いて撮像を行うことを特徴とする制御方法。
【請求項１８】
連続的に撮像を行って、複数の画像を取得する撮像装置の制御方法であって、
取得した画像毎に、その画像データから、予め設定された条件を満たす被写体を検出する検出ステップと、
前記取得した各画像と、当該画像の直前に取得した画像間でシーンが変化したかどうかを判断する判断ステップと、
前記検出ステップにおいて検出された被写体に関係なく、前記画像データから第１露出値を演算する第１露出値決定ステップと、
前記検出ステップにおいて検出された被写体を含む部分範囲の画像データに基づいて第２露出値を演算する第２露出値決定ステップと、
前記検出ステップにおいて被写体が検出された場合には前記第２露出値を選択し、検出されなかった場合には、前記判断ステップにおいてシーンが変化したと判断され、且つ、前回被写体が検出されてからまたは前記判断ステップによりシーンが変化していないと前回判断されてから予め設定された時間が経過していれば前記第１露出値を選択し、それ以外の場合に前記第２露出値を選択する選択ステップとを有し、
前記第２露出値決定ステップでは、前記判断ステップによりシーンが変化していないと判断され、且つ、前記検出ステップにおいて前記被写体が検出されなくなった後、前記予め設定された時間は、前記部分範囲の画像データに基づいて第２露出値を演算し、
前記選択ステップでの選択結果に基づく露出値を用いて撮像を行うことを特徴とする制御方法。
【請求項１９】
前記検出ステップにおいて被写体が検出された場合に、検出されてから予め設定された時間、または、検出後、前記判断ステップにおいてシーンが変化していないと判断されてから予め設定された時間、前記検出された被写体を示す表示を、前記取得した画像上に重畳表示する表示制御ステップを更に有し、
前記選択ステップでは、前記検出ステップにより被写体が検出されなかった場合に、前記被写体を示す表示がされていれば、前回被写体が検出されてからまたは前記判断ステップによりシーンが変化していないと前回判断されてから、前記予め設定された時間が経過していないと判断し、表示がされていなければ前記予め設定された時間が経過していると判断することを特徴とする請求項１７または１８に記載の制御方法。
【請求項２０】
前記第２露出値決定ステップでは、更に、前記部分範囲以外の画像データに基づいて第２露出値を演算し、前記部分範囲の画像データに対して、該部分範囲以外の画像データよりも高い重み付けを行うことを特徴とする請求項１１乃至１９のいずれか１項に記載の制御方法。
【手続補正２】
【補正対象書類名】明細書
【補正対象項目名】００１０
【補正方法】変更
【補正の内容】
【００１０】
上記目的を達成するために、連続的に撮像を行って、複数の画像を取得する本発明の撮像装置は、取得した画像毎に、その画像データから、予め設定された条件を満たす被写体を検出する検出手段と、前記検出手段により検出された被写体に関係なく、前記画像データから第１露出値を演算する第１露出値決定手段と、前記検出手段により検出された被写体を含む部分範囲の画像データに基づいて第２露出値を演算する第２露出値決定手段と、前記検出手段により被写体が検出された場合には前記第２露出値を選択し、検出されなかった場合には、前回被写体が検出されてから予め設定された時間が経過していれば前記第１露出値を選択し、経過していなければ露出値を変更しないことを選択する選択手段とを有し、前記選択手段の選択結果に基づく露出値を用いて撮像を行う。
また、別の構成によれば、連続的に撮像を行って、複数の画像を取得する本発明の撮像装置は、取得した画像毎に、その画像データから、予め設定された条件を満たす被写体を検出する検出手段と、前記検出手段により検出された被写体に関係なく、前記画像データから第１露出値を演算する第１露出値決定手段と、前記検出手段により検出された被写体を含む部分範囲の画像データに基づいて第２露出値を演算する第２露出値決定手段と、前記検出手段により被写体が検出された場合には前記第２露出値を選択し、検出されなかった場合には、前回被写体が検出されてから予め設定された時間が経過していれば前記第１露出値を選択し、経過していなければ前記第２露出値を選択する選択手段とを有し、前記第２露出値決定手段は、前記検出手段により前記被写体が検出されなくなった後、前記予め設定された時間が経過するまでは、前記検出手段により最後に検出された被写体を含む前記部分範囲の画像データに基づいて前記第２露出値を演算し、前記選択手段の選択結果に基づく露出値を用いて撮像を行う。
【手続補正３】
【補正対象書類名】明細書
【補正対象項目名】００１１
【補正方法】変更
【補正の内容】
【００１１】
また、連続的に撮像を行って、複数の画像を取得する撮像装置の本発明の制御方法は、取得した画像毎に、その画像データから、予め設定された条件を満たす被写体を検出する検出ステップと、前記検出ステップにおいて検出された被写体に関係なく、前記画像データから第１露出値を演算する第１露出値決定ステップと、前記検出ステップにおいて検出された被写体を含む部分範囲の画像データに基づいて第２露出値を演算する第２露出値決定ステップと、前記検出ステップにおいて被写体が検出された場合には前記第２露出値を選択し、検出されなかった場合には、前回被写体が検出されてから予め設定された時間が経過していれば前記第１露出値を選択し、経過していなければ露出値を変更しないことを選択する選択ステップとを有し、前記選択ステップでの選択結果に基づく露出値を用いて撮像を行う。
また、別の構成によれば、連続的に撮像を行って、複数の画像を取得する撮像装置の本発明の制御方法は、取得した画像毎に、その画像データから、予め設定された条件を満たす被写体を検出する検出ステップと、前記検出ステップにおいて検出された被写体に関係なく、前記画像データから第１露出値を演算する第１露出値決定ステップと、前記検出ステップにおいて検出された被写体を含む部分範囲の画像データに基づいて第２露出値を演算する第２露出値決定ステップと、前記検出ステップにおいて被写体が検出された場合には前記第２露出値を選択し、検出されなかった場合には、前回被写体が検出されてから予め設定された時間が経過していれば前記第１露出値を選択し、経過していなければ前記第２露出値を選択する選択ステップとを有し、前記第２露出値決定ステップでは、前記検出ステップにより前記被写体が検出されなくなった後、前記予め設定された時間が経過するまでは、前記検出ステップにより最後に検出された被写体を含む前記部分範囲の画像データに基づいて前記第２露出値を演算し、前記選択ステップでの選択結果に基づく露出値を用いて撮像を行うことを特徴とする。
【手続補正４】
【補正対象書類名】明細書
【補正対象項目名】００１２
【補正方法】変更
【補正の内容】
【００１２】
また、別の構成によれば、連続的に撮像を行って、複数の画像を取得する本発明の撮像装置は、取得した画像毎に、その画像データから、予め設定された条件を満たす被写体を検出する検出手段と、前記取得した各画像と、当該画像の直前に取得した画像間でシーンが変化したかどうかを判断する判断手段と、前記検出手段により検出された被写体に関係なく、前記画像データから第１露出値を演算する第１露出値決定手段と、前記検出手段により検出された被写体を含む部分範囲の画像データに基づいて第２露出値を演算する第２露出値決定手段と、前記検出手段により被写体が検出された場合には前記第２露出値を選択し、検出されなかった場合には、前記判断手段によりシーンが変化したと判断され、且つ、前回被写体が検出されてからまたは前記判断手段によりシーンが変化していないと前回判断されてから予め設定された時間が経過していれば前記第１露出値を選択し、それ以外の場合に露出値を変更しないことを選択する選択手段とを有し、前記選択手段の選択結果に基づく露出値を用いて撮像を行う
また、別の構成によれば、連続的に撮像を行って、複数の画像を取得する本発明の撮像装置は、取得した画像毎に、その画像データから、予め設定された条件を満たす被写体を検出する検出手段と、前記取得した各画像と、当該画像の直前に取得した画像間でシーンが変化したかどうかを判断する判断手段と、前記検出手段により検出された被写体に関係なく、前記画像データから第１露出値を演算する第１露出値決定手段と、前記検出手段により検出された被写体を含む部分範囲の画像データに基づいて第２露出値を演算する第２露出値決定手段と、前記検出手段により被写体が検出された場合に前記第２露出値を選択し、検出されなかった場合には、前記判断手段によりシーンが変化したと判断され、且つ、前回被写体が検出されてからまたは前記判断手段によりシーンが変化していないと前回判断されてから予め設定された時間が経過していれば前記第１露出値を選択し、それ以外の場合に前記第２露出値を選択する選択手段とを有し、前記第２露出値決定手段は、前記判断手段によりシーンが変化していないと判断され、且つ、前記検出手段により前記被写体が検出されなくなった後、前記予め設定された時間が経過するまでは、前記部分範囲の画像データに基づいて第２露出値を演算し、前記選択手段の選択結果に基づく露出値を用いて撮像を行う。
【手続補正５】
【補正対象書類名】明細書
【補正対象項目名】００１３
【補正方法】変更
【補正の内容】
【００１３】
また、連続的に撮像を行って、複数の画像を取得する撮像装置の本発明の制御方法は、取得した画像毎に、その画像データから、予め設定された条件を満たす被写体を検出する検出ステップと、前記取得した各画像と、当該画像の直前に取得した画像間でシーンが変化したかどうかを判断する判断ステップと、前記検出ステップにおいて検出された被写体に関係なく、前記画像データから第１露出値を演算する第１露出値決定ステップと、前記検出ステップにおいて検出された被写体を含む部分範囲の画像データに基づいて第２露出値を演算する第２露出値決定ステップと、前記検出ステップにおいて被写体が検出された場合には前記第２露出値を選択し、検出されなかった場合には、前記判断ステップによりシーンが変化したと判断され、且つ、前回被写体が検出されてからまたは前記判断ステップによりシーンが変化していないと前回判断されてから予め設定された時間が経過していれば前記第１露出値を選択し、それ以外の場合に露出値を変更しないことを選択する選択ステップとを有し、前記選択ステップでの選択結果に基づく露出値を用いて撮像を行う。
また、別の構成によれば、連続的に撮像を行って、複数の画像を取得する撮像装置の制御方法は、取得した画像毎に、その画像データから、予め設定された条件を満たす被写体を検出する検出ステップと、前記取得した各画像と、当該画像の直前に取得した画像間でシーンが変化したかどうかを判断する判断ステップと、前記検出ステップにおいて検出された被写体に関係なく、前記画像データから第１露出値を演算する第１露出値決定ステップと、前記検出ステップにおいて検出された被写体を含む部分範囲の画像データに基づいて第２露出値を演算する第２露出値決定ステップと、前記検出ステップにおいて被写体が検出された場合には前記第２露出値を選択し、検出されなかった場合には、前記判断ステップにおいてシーンが変化したと判断され、且つ、前回被写体が検出されてからまたは前記判断ステップによりシーンが変化していないと前回判断されてから予め設定された時間が経過していれば前記第１露出値を選択し、それ以外の場合に前記第２露出値を選択する選択ステップとを有し、前記第２露出値決定ステップでは、前記判断ステップによりシーンが変化していないと判断され、且つ、前記検出ステップにおいて前記被写体が検出されなくなった後、前記予め設定された時間は、前記部分範囲の画像データに基づいて第２露出値を演算し、前記選択ステップでの選択結果に基づく露出値を用いて撮像を行う。
【手続補正６】
【補正対象書類名】明細書
【補正対象項目名】００１４
【補正方法】削除
【補正の内容】
【手続補正７】
【補正対象書類名】明細書
【補正対象項目名】００３４
【補正方法】変更
【補正の内容】
【００３４】
次にステップＳ１１０で、システム制御回路１１２は表示部１１０の画像表示をオン状態に設定する。更に、ステップＳ１１１で、システム制御回路１１２は撮像した画像データを逐次表示するスルー表示状態に設定する。スルー表示とは、撮像素子１０３からの信号に基づいて生成される動画の表示であって、メモリ１０８等への記録を目的とせず、表示部１１０への表示を目的とした動画の表示を意味する。
【手続補正８】
【補正対象書類名】明細書
【補正対象項目名】００４０
【補正方法】変更
【補正の内容】
【００４０】
ステップＳ４０３では、表示部１１０は、ステップＳ１１２で検出された顔領域を囲う顔検出枠を被写体像に重畳表示する。その様子を図７（ａ）に示す。図７（ａ）は表示部１１０の表示画面を示しており、検出された人物の頭部を囲う四角い顔検出枠が表示される。顔検出枠の表示を行うと、デジタル信号処理回路１０７はステップＳ４０９にてタイマを開始させ、このルーチンを終了する。
【手続補正９】
【補正対象書類名】明細書
【補正対象項目名】００５２
【補正方法】変更
【補正の内容】
【００５２】
ステップＳ１１５では、システム制御回路１１２は、ＡＥ処理を行って絞り値及びシャッタ速度を決定する。このＡＥ処理では、必要であればフラッシュの設定も行う。更に、ＡＷＢ処理、及び撮像レンズ群１０１の焦点を被写体に合わせるＡＦ処理も行う。
【手続補正１０】
【補正対象書類名】明細書
【補正対象項目名】００５９
【補正方法】変更
【補正の内容】
【００５９】
先ず、画像データ１００１は輝度ブロック計算部１００２により、８×８の６４のブロックに分割され、それぞれのブロックの平均輝度値が算出される。求められた各ブロックの平均輝度値である輝度ブロック値Ｙｉｊ（ｉ=１〜８、ｊ＝１〜８）は、第１露出決定部１００３と第２露出決定部１００４へそれぞれ送られる。第１露出決定部１００３は、画面全体の輝度ブロックに中央を重点とした図１０に示す重みをかけて加算平均し、第１輝度Ｙ１を求める。
Ｙ１  ＝  Σ（Ｙｉｊ×Ｗｉｊ）／ΣＷｉｊ
【手続補正１１】
【補正対象書類名】明細書
【補正対象項目名】００６１
【補正方法】変更
【補正の内容】
【００６１】
また、第２露出決定部１００４には、輝度ブロック値Ｙｉｊと顔検出情報１００６（ここでは、顔の座標位置と顔の大きさ）が送られる。そして、顔のエリアを含むブロックが求められ（図９中の顔検出エリア）、その輝度ブロック値の平均値である第２輝度Ｙ２が計算される。ここで求められた第２輝度Ｙ２が適正な輝度になる露出値Ｂｖ２をＹ２より求める。なお、画面中に顔がない場合、もしくは顔検出がうまくいかなかった場合は顔検出情報１００６が無いため、第１露出決定部１００３と同様に図１０の重みを用いて、画面全体の輝度を求める。
【手続補正１２】
【補正対象書類名】明細書
【補正対象項目名】００６５
【補正方法】変更
【補正の内容】
【００６５】
「顔検出情報なし」で「枠表示されていない」場合には第１露出決定部１００３にて決定された画面全体に基づき求められた露出値Ｂｖ１に露出制御値が決定される。「顔検出情報あり」で「枠表示されている」場合には第２露出決定部１００４にて決定された枠内に表示されている顔に基づき求められた露出値Ｂｖ２に露出制御値が決定される。また、「顔検出情報なし」で「枠表示されている」場合には、現在設定されている前回ＡＥの時に使用した評価値である露出値Ｂｖ０をそのまま露出制御値として決定する。
【手続補正１３】
【補正対象書類名】明細書
【補正対象項目名】００７２
【補正方法】変更
【補正の内容】
【００７２】
次にステップＳ３０３で、システム制御回路１１２は、フラッシュフラグによりフラッシュが必要か否かを判断し、フラッシュが必要な場合はステップＳ３０４に進み、所定の発光量で不図示のフラッシュユニットをプリ発光させる。このプリ発光の光量は、絞り値と被写体までの距離と、設定された撮像素子１０３の感度とに基づいて決定される。ステップＳ３０５では、露出制御回路１１３は測光データに従って撮像素子１０３の露光終了を待ち、露光終了のタイミングになると、ステップＳ３０６でシャッタを閉じる。そしてシステム制御回路１１２はステップＳ３０７で、撮像素子１０３から電荷信号を読み出させる。そして、Ａ／Ｄ変換器１０５、デジタル信号処理回路１０７、メモリ制御回路１０６を介して、或いはＡ／Ｄ変換器１０５から直接メモリ制御回路１０６を介して、撮像画像のデータをメモリ１０８に書き込ませる。
【手続補正１４】
【補正対象書類名】明細書
【補正対象項目名】００７８
【補正方法】変更
【補正の内容】
【００７８】
ステップＳ１２１の記録処理が終了した後、ステップＳ１２２で、シャッタスイッチＳＷ２がオンの状態かどうかを調べる。シャッタスイッチＳＷ２がオンの状態であればステップＳ１２３に進み、システム制御回路１１２は、システム制御回路１１２の内部メモリ或いはメモリ１０８に記憶される連写フラグの状態を判断する。ここで連写フラグがオンであれば、システム制御回路１１２は連続して撮像を行うためにステップＳ１１９に戻り、次の撮像を行う。一方、ステップＳ１２３で連写フラグがオンでなければ、システム制御回路１１２はステップＳ１２２に戻り、シャッタースイッチＳＷ２が放されるまでステップＳ１２２、Ｓ１２３の処理を繰り返す。
【手続補正１５】
【補正対象書類名】明細書
【補正対象項目名】００８４
【補正方法】変更
【補正の内容】
【００８４】
なお、本第１の実施形態では、「顔検出情報なし」で「枠表示されている」場合には現在設定されている前回露出制御時に使用した評価値である露出値Ｂｖ０をそのまま露出制御値としているが、現在枠表示されている領域の輝度に基づき評価値を算出しても良い。
【手続補正１６】
【補正対象書類名】明細書
【補正対象項目名】００９１
【補正方法】変更
【補正の内容】
【００９１】
図７（ａ）は表示部１１０の表示画面を示しており、図７（ｂ）は撮像素子１０３の分割領域を示している。図７（ｂ）の鎖線が分割領域の境界を示しており、説明を容易にするため、図７（ａ）にも図７（ｂ）と同様の鎖線を示している。図７（ｂ）において、図７（ａ）の顔検出枠がかかっている分割領域には斜線が引いてある。
【手続補正１７】
【補正対象書類名】明細書
【補正対象項目名】０１０１
【補正方法】変更
【補正の内容】
【０１０１】
そしてステップＳ４０９でタイマを開始し、このルーチンを終了する。
【手続補正１８】
【補正対象書類名】明細書
【補正対象項目名】０１１０
【補正方法】変更
【補正の内容】
【０１１０】
図１６において、３人の被写体から顔領域Ａ，Ｂ，Ｃがそれぞれ検出されている。したがって、図１６における露出値Ｂｖ１は、顔領域Ａ，Ｂ，Ｃの輝度値に基づき、第２露出決定部１４０４によって算出される。
【手続補正１９】
【補正対象書類名】明細書
【補正対象項目名】０１１３
【補正方法】変更
【補正の内容】
【０１１３】
したがって、図１７における露出値Ｂｖ２は、図１６における顔領域Ａの輝度値と最新の顔検出情報である図１７における顔領域Ｂ，Ｃの輝度値に基づき第２露出決定部１４０４によって算出される。
【手続補正２０】
【補正対象書類名】明細書
【補正対象項目名】０１１６
【補正方法】変更
【補正の内容】
【０１１６】
顔領域Ａ，Ｃは顔検出が失敗しているが、ともに前回顔検出が成功してから図１８までの計時時間が、タイマに設定されている所定時間である０．６秒よりも短いため、図１８の時点においても表示部１１０は顔領域Ａ，Ｃの顔検出枠を表示しつづける。したがって、図１８における露出値Ｂｖ３は、図１６における顔領域Ａの輝度値と図１７における顔領域Ｃの輝度値と図１８において顔検出が成功している顔領域Ｂの輝度値に基づき第２露出決定部１４０４によって算出される。
【手続補正２１】
【補正対象書類名】明細書
【補正対象項目名】０１２０
【補正方法】変更
【補正の内容】
【０１２０】
顔領域Ａに関しては、前回顔検出が成功してから図１９までの計時時間が、タイマに設定されている所定時間である０．６秒に達した為、顔検出枠を消去する。
【手続補正２２】
【補正対象書類名】明細書
【補正対象項目名】０１２１
【補正方法】変更
【補正の内容】
【０１２１】
顔領域Ｃは顔検出が失敗しているが、前回顔検出が成功してから図１９までの計時時間が、タイマに設定されている所定時間である０．６秒よりも短いため、図１９の時点においても表示部１１０は顔領域Ｃの顔検出枠を表示しつづける。
【手続補正２３】
【補正対象書類名】明細書
【補正対象項目名】０１２２
【補正方法】変更
【補正の内容】
【０１２２】
したがって、図１９における露出値Ｂｖ４は、図１７における顔領域Ｃの輝度値と図１９において顔検出が成功している顔領域Ｂの輝度値に基づき第２露出決定部１４０４によって算出される。
【手続補正２４】
【補正対象書類名】図面
【補正対象項目名】図１４
【補正方法】変更
【補正の内容】
【図１４】
2008035415.tif 000001